(57)【要約】【課題】  従来の破砕装置は破砕刃の構造により破砕音が大きく、破砕物の大きさも揃わず、動力装置も大きなものが必要であった。したがって装置の大きさも大規模になり、家屋や事務所内に設置することが出来なかった。その欠点を解決するために、破砕装置に使用する破砕刃を作ることが目的である。【解決手段】  鉄又はアルミニウムを含む金属の鋳物製や、セラミック又は樹脂製の網刃を網の目の形状が異なる上刃の底面と、下刃の上面を接触させた網刃対を構成する。網刃対の上刃と下刃を前後・左右に互い違いに動かして被破砕物を切断する。網刃対を低速で動かすことで破砕音を小さくし、網の目の大きさで被破砕物の大きさを決定でき、消費電力の少ない小型の破砕装置が製作することができる。その装置に使用する網刃とその網刃で構成する網刃対を開発した。【選択図】図７
2008188582.tif 000002
【特許請求の範囲】
【請求項１】
鉄又はアルミニウムを含む金属の鋳物製及びセラミック又は樹脂製で、網の目の形状がそれぞれ異なる網歯。
【請求項２】
網の目の形状が異なる網歯の上歯と下歯を上下で接触させ、１組の網歯対として上歯と下歯を前後・左右に互い違いに動かして被破砕物を切断する。
【発明の詳細な説明】
【技術分野】
【０００１】  本発明は、鉄又はアルミニウムを含む金属の鋳物製及びセラミック又は樹脂製の網歯を、網の目の形状が異なる上歯の底面と下歯の上面を接触させた、網歯と網歯対に関するものである。
【背景技術】
【０００２】  従来の破砕装置の破砕歯は、１又は２軸式の多重歯車を高速回転させ、被破砕物を歯車に噛みこませて、引きちぎる方式であった。
【発明の開示】
【発明が解決しようとする課題】
【０００３】  従来の破砕装置は破砕の際の音が大きく、破砕物の大きさも揃わず、動力装置も大きなものが必要で、装置の大きさも大規模であり、家屋や事務所内に設置する事が出来なかった。【０００４】  本発明は、このような従来の問題を解決しようとするもので、破砕音を小さくするために低速で動作でき、被破砕物の処理後の大きさを決定でき、省電力で動作し、装置の大きさも小型化できることを目的とするものである。【０００５】  本発明は、被破砕物の硬さの種類に対応するため金属、セラミック及び樹脂製の網の目の形状が異なる上下それぞれの網歯を考案した。【０００６】  本発明の網歯をそれぞれ上下に接触させ網歯対にして、上歯と下歯を前後・左右に互い違いに動かして、被破砕物を切断、破砕する装置を構成するものである。
【発明の効果】
【０００７】  本発明の網歯対は低速で動作できるので、破砕する際に発生する音を小さくすることができ、網歯の網の目の大きさを選択することにより被破砕物の大きさを揃えられ、動力装置を小規模に出来るので、電力の消費量を少なくでき、本発明の網歯対類で構成される破砕装置は大きさも小型化できることを発見した。
【発明を実施するための最良の形態】
【０００８】  本発明の網歯及び網歯対は、鉄又はアルミニウムを含む金属の鋳物製及びセラミック又は樹脂製の鋭利な網歯を持ち、網の目の形状が異なる図１、図２及び図３で示される上歯と図４、図５及び図６で示される下歯をそれぞれ接触させ、図７で示すような網歯対とする。網歯対の上歯と下歯を前後・左右に互い違いに動かすことにより、被破砕物を上下の網歯で挟み切断するものである。
【実施例】
【０００９】本発明によれば、網の目の大きな網歯対を最上部に置き、その下方に中間の大きさの網歯対を設置し、最下部に最も細かな網目の網歯対を置く図８に示すような装置にすると、被破砕物は落下してゆくにつれ、細かく破砕されてゆく。【００１０】  本発明を実施するために、それぞれの網歯対は上歯と下歯を前後・左右に動かすことが必要であるが、低速で動作させるため動力は小型化でき、本発明の網歯対で構成される装置の筐体は堅牢な構造にする必要がない。
【産業上の利用可能性】
【００１１】  本発明は以上のような構成であるから、被破砕物の種類に対して硬いものは網歯の素材を鉄またはアルミニウムを含む金属を鋳造したもの、また紙や布類などの柔らかいものはセラミックや樹脂を成型したものなどに選択することが出来る。これは使用用途を広げる意味で有利である。また従来の方式に比べて構造が非常に簡単であるため、装置は小型化でき屋内や事務所内に設置できる。【００１２】  破砕装置は破砕能力の維持のために、定期的な保守点検と整備が必要である。破砕歯は研磨や交換の必要があり、従来の多重歯車方式の破砕歯の研磨及び交換作業と比較すると、本発明の網歯対の網歯の交換などのメンテナンス性は圧倒的に優れている。
【図面の簡単な説明】
【図１】  上歯１の上面図
【図２】  上歯２の上面図
【図３】  上歯３の上面図
【図４】  下歯１の下面図
【図５】  下歯２の下面図
【図６】  下歯３の下面図
【図７】  本発明の立体図
【図８】  本発明品を装置に設置した想定図
【符号の説明】
１・・・上歯
２・・・下歯
３・・・上歯と下歯は前後に互い違いに動く。
４・・・上歯と下歯は左右に互い違いに動く。
５・・・上歯の底面と下歯の上面は接触している。
６・・・上歯１
７・・・下歯１
８・・・上歯２
９・・・下歯２
１０・・・上歯３
１１・・・下歯３
【図１】
2008188582.tif 000003
【図２】
2008188582.tif 000004
【図３】
2008188582.tif 000005
【図４】
2008188582.tif 000006
【図５】
2008188582.tif 000007
【図６】
2008188582.tif 000008
【図７】
2008188582.tif 000009
【図８】
2008188582.tif 000010
【手続補正書】
【提出日】平成19年3月5日(2007.3.5)
【手続補正１】
【補正対象書類名】特許請求の範囲
【補正対象項目名】全文
【補正方法】変更
【補正の内容】
【特許請求の範囲】
【請求項１】
鉄又はアルミニウムを含む金属の鋳物製及びセラミック又は樹脂製で、網の目の形状がそれぞれ異なる網刃。
【請求項２】
網の目の形状が異なる網刃の上刃と下刃を上下で接触させ、１組の網刃対として上刃と下刃を前後・左右に互い違いに動かして被破砕物を切断する。
【手続補正２】
【補正対象書類名】明細書
【補正対象項目名】全文
【補正方法】変更
【補正の内容】
【発明の詳細な説明】
【技術分野】
【０００１】  本発明は、鉄又はアルミニウムを含む金属の鋳物製及びセラミック又は樹脂製の網刃を、網の目の形状が異なる上刃の底面と下刃の上面を接触させた、網刃と網刃対に関するものである。
【背景技術】
【０００２】  従来の破砕装置の破砕刃は、１又は２軸式の多重歯車を高速回転させ、被破砕物を歯車に噛みこませて、引きちぎる方式であった。
【発明の開示】
【発明が解決しようとする課題】
【０００３】  従来の破砕装置は破砕の際の音が大きく、破砕物の大きさも揃わず、動力装置も大きなものが必要で、装置の大きさも大規模であり、家屋や事務所内に設置する事が出来なかった。【０００４】  本発明は、このような従来の問題を解決しようとするもので、破砕音を小さくするために低速で動作でき、被破砕物の処理後の大きさを決定でき、省電力で動作し、装置の大きさも小型化できることを目的とするものである。【０００５】  本発明は、被破砕物の硬さの種類に対応するため金属、セラミック及び樹脂製の網の目の形状が異なる上下それぞれの網刃を考案した。【０００６】  本発明の網刃をそれぞれ上下に接触させ網刃対にして、上刃と下刃を前後・左右に互い違いに動かして、被破砕物を切断、破砕する装置を構成するものである。
【発明の効果】
【０００７】  本発明の網刃対は低速で動作できるので、破砕する際に発生する音を小さくすることができ、網刃の網の目の大きさを選択することにより被破砕物の大きさを揃えられ、動力装置を小規模に出来るので、電力の消費量を少なくでき、本発明の網刃対類で構成される破砕装置は大きさも小型化できることを発見した。
【発明を実施するための最良の形態】
【０００８】  本発明の網刃及び網刃対は、鉄又はアルミニウムを含む金属の鋳物製及びセラミック又は樹脂製の鋭利な網刃を持ち、網の目の形状が異なる図１、図２及び図３で示される上刃と図４、図５及び図６で示される下刃をそれぞれ接触させ、図７で示すような網刃対とする。網刃対の上刃と下刃を前後・左右に互い違いに動かすことにより、被破砕物を上下の網刃で挟み切断するものである。
【実施例】
【０００９】本発明によれば、網の目の大きな網刃対を最上部に置き、その下方に中間の大きさの網刃対を設置し、最下部に最も細かな網目の網刃対を置く図８に示すような装置にすると、被破砕物は落下してゆくにつれ、細かく破砕されてゆく。【００１０】  本発明を実施するために、それぞれの網刃対は上刃と下刃を前後・左右に動かすことが必要であるが、低速で動作させるため動力は小型化でき、本発明の網刃対で構成される装置の筐体は堅牢な構造にする必要がない。
【産業上の利用可能性】
【００１１】  本発明は以上のような構成であるから、被破砕物の種類に対して硬いものは網刃の素材を鉄またはアルミニウムを含む金属を鋳造したもの、また紙や布類などの柔らかいものはセラミックや樹脂を成型したものなどに選択することが出来る。これは使用用途を広げる意味で有利である。また従来の方式に比べて構造が非常に簡単であるため、装置は小型化でき屋内や事務所内に設置できる。【００１２】  破砕装置は破砕能力の維持のために、定期的な保守点検と整備が必要である。破砕刃は研磨や交換の必要があり、従来の多重歯車方式の破砕刃の研磨及び交換作業と比較すると、本発明の網刃対の網刃の交換などのメンテナンス性は圧倒的に優れている。
【図面の簡単な説明】
【図１】  上刃１の上面図
【図２】  上刃２の上面図
【図３】  上刃３の上面図
【図４】  下刃１の下面図
【図５】  下刃２の下面図
【図６】  下刃３の下面図
【図７】  本発明の立体図  ［符号の説明］  １・・・上刃  ２・・・下刃  ３・・・上刃と下刃は前後に互い違いに動く。  ４・・・上刃と下刃は左右に互い違いに動く。  ５・・・上刃の底面と下刃の上面は接触している。
【図８】  本発明品を装置に設置した想定図
【符号の説明】
６・・・上刃１
７・・・下刃１
８・・・上刃２
９・・・下刃２
１０・・・上刃３
１１・・・下刃３